(57)【要約】【課題】コンベア等に載置した飲料・食品を比較的長時間保冷することができる飲料・食品の保冷用容器を提供する。【解決手段】ビール瓶ａ等飲料を収容する容器本体２と、容器本体２と別体で該容器本体２に着脱自在に設けれられる保冷具３とを備え、冷蔵庫等で冷却した保冷具３を容器本体２に取り付ける。容器本体２は、ビール瓶ａ等飲料を挿入可能な環状の開口部６を上部に形成した筒形状の断熱容器により形成され、保冷具３はリング形状に形成されて前記開口部６に沿って設けられる。ビール瓶ａ等飲料を保冷具３によって比較的長期間保冷することができ、さらに容器本体２に着脱自在に設けられる保冷具３を単独で冷蔵庫等で冷却することにより、容器本体２全体を冷蔵庫等で冷却する必要はなく保冷することができる。【選択図】　　　図１
0003098138.tif 000002
【実用新案登録請求の範囲】
【請求項１】
飲料または食品を収容する容器本体と、前記容器本体と別体で該容器本体に着脱自在に設けれられる保冷具とを備えたことを特徴とする飲料・食品の保冷用容器。
【請求項２】
前記容器本体は、飲料または食品を挿入可能な環状の開口部を上部に形成した筒形状の断熱容器により形成され、前記保冷具はリング形状に形成されて前記開口部に沿って設けられることを特徴とする請求項１記載の飲料・食品の保冷用容器。
【請求項３】
前記保冷具は、保冷用ケース内に複数の区画室を形成すると共に、これら区画室に蓄冷剤を設けたことを特徴とする請求項２記載の飲料・食品の保冷用容器。
【請求項４】
前記容器本体は、飲料または食品を挿入可能な環状の開口部を上部に形成した有底な筒形状の断熱容器により形成され、前記保冷具は前記底に着脱自在に嵌合することを特徴とする請求項１記載の飲料・食品の保冷用容器。
【請求項５】
前記保冷具は、上面を平面に形成すると共に前記底に着脱自在に嵌合する保冷用ケースに蓄冷剤を内蔵したことを特徴とする請求項４記載の飲料・食品の保冷用容器。
【請求項６】
前記保冷具は、保冷用ケース内に複数の区画室を形成すると共に、これら区画室に蓄冷剤を設けたことを特徴とする請求項５記載の飲料・食品の保冷用容器。
【請求項７】
前記容器本体は、コンベアの上面に飲料又は食品を載置して循環搬送するコンベアに用いる飲料または食品の保冷容器であることを特徴とする請求項１〜６のいずれか１項に記載の飲料・食品の保冷用容器。
【考案の詳細な説明】
【０００１】
【考案の属する技術分野】
本考案は、寿司店などに設置される飲料・食品搬送用コンベア等に用いる飲料・食品の保冷用容器に関する。
【０００２】
【従来の技術】
従来、この種の飲料・食品搬送用コンベアは平板状のスラットを複数チェーンを介して環状に接続し、そして皿に載せた寿司等の食品やビールなど飲料の瓶等をスラット上に載せて循環搬送してお客に提供できるようになっている。
【０００３】
前記寿司等の食品は鮮度保持により所定時間コンベアに置かれたものは廃棄されるが、前記瓶入りのビールなどの飲料は、そのような鮮度保持の問題はないが、当初冷たかったものが循環搬送中にぬるくなってしまうという問題がある。さらに、アイスクリームなどの冷菓を循環搬送するような場合には、途中で冷菓が溶けてしまうという問題がある。
【０００４】
このような問題を解決する手段として、例えば断熱処理した保冷カバーが公知である。このカバーは、発泡材にアルミニウムフィルムを蒸着して瓶形状に形成したものであって、瓶に被せることにより保冷を行うというものである（例えば特許文献１）。
【０００５】
【特許文献１】
特開平９−２８９９４０号公報
【０００６】
【考案が解決しようとする課題】
従来技術のような断熱作用のみにより保冷を行うような保冷カバーにおいては、保冷性能に限界があり、コンベアに載置した飲料・食品を比較的長時間保冷することができなかった。
【０００７】
そこで、本考案は、コンベア等に載置した飲料・食品を比較的長時間保冷することができる飲料・食品の保冷用容器を提供することを目的とする。
【０００８】
【課題を解決するための手段】
請求項１の考案は、飲料または食品を収容する容器本体と、前記容器本体と別体で該容器本体に着脱自在に設けれられる保冷具とを備えたことを特徴とする飲料・食品の保冷用容器である。
【０００９】
この請求項１の構成によれば、冷蔵庫等で冷却した保冷具を容器本体に取り付けると共に、容器本体に飲料または食品を収容することにより、保冷具の冷却作用により飲料または食品を保冷することができる。
【００１０】
請求項２の考案においては、前記容器本体は、飲料または食品を挿入可能な環状の開口部を上部に形成した筒形状の断熱容器により形成され、前記保冷具はリング形状に形成されて前記開口部に沿って設けられることを特徴とする請求項１記載の飲料・食品の保冷用容器である。
【００１１】
この請求項２の構成によれば、開口部に沿って保冷具を設けて断熱された容器本体の開口部より挿入した飲料または食品を冷却する。
【００１２】
請求項３の考案においては、前記保冷具は、保冷用ケース内に複数の区画室を形成すると共に、これら区画室に蓄冷剤を設けたことを特徴とする請求項２記載の飲料・食品の保冷用容器である。
【００１３】
この請求項３の構成によれば、蓄冷剤は複数の区画室に設けられるので、保冷用ケース内で移動が抑止された状態で蓄冷剤は設けられる。
【００１４】
請求項４の考案においては、前記容器本体は、飲料または食品を挿入可能な環状の開口部を上部に形成した有底な筒形状の断熱容器により形成され、前記保冷具は前記底に着脱自在に嵌合することを特徴とする請求項１記載の飲料・食品の保冷用容器である。
【００１５】
この請求項４の構成によれば、前記底に保冷具を嵌合し、そして飲料・食品を容器本体に挿入する。
【００１６】
請求項５の考案においては、前記保冷具は、上面を平面に形成すると共に前記底に着脱自在に嵌合する保冷用ケースに蓄冷剤を内蔵したことを特徴とする請求項４記載の飲料・食品の保冷用容器である。
【００１７】
請求項５の構成によれば、保冷具の平らな上面上に飲料・食品を設けて保冷する。
【００１８】
請求項６の考案においては、前記保冷具は、保冷用ケース内に複数の区画室を形成すると共に、これら区画室に蓄冷剤を設けたことを特徴とする請求項５記載の飲料・食品の保冷用容器である。
【００１９】
この請求項６の構成によれば、蓄冷剤は複数の区画室に設けられるので、保冷用ケース内で移動が抑止された状態で蓄冷剤は設けられる。
【００２０】
請求項７の考案においては、前記容器本体は、コンベアの上面に飲料又は食品を載置して循環搬送するコンベアに用いる飲料または食品の保冷容器であることを特徴とする請求項１〜６のいずれか１項に記載の飲料・食品の保冷用容器である。
【００２１】
この請求項７の構成によれば、保冷された状態で飲料・食品はコンベアによって循環搬送される。
【００２２】
【考案の実施形態】
以下、本考案の実施形態を添付図を参照して説明する。図１〜図４を参照して説明する。保冷用容器１は、ビール瓶ａ等飲料または食品を収容する透明な容器本体２と、前記容器本体２と別体で該容器本体２に着脱自在に設けれられる保冷具３とを備えている。前記容器本体２は円形な底４とこの底４の縁より立ちあがる円筒５とからなり、上部には環状の開口部６が形成されている。そして、前記底４及び円筒５は内壁７とその外側に断熱層７ａを介して外壁８を設けて容器本体２は二重壁構造の断熱容器に形成されている。保冷具３は、前記開口部６に沿って設けられるようにリング状に形成されている。そして、保冷具３は、保冷用ケース９内に蓄冷剤１０を設けたものであって、例えば蓄冷剤１０は少なくとも常温時には液状のものである。前記保冷用ケース９は、一対の区画室１１，１２をリングを半割りするようにして形成したものであって、一端１３を回転中心として他端をそれぞれに形成した凹部１４及び凸部１５により凹凸嵌合により接続したものである。蓄冷剤１０はそれぞれの区画室１１，１２の入口（図示せず）より注入されてその蓋１７により閉じられている。さらに、図示はしないが保冷用ケース９の下面に開口部６に嵌合するように嵌合受け部を溝状に設けてもよい。尚、図中ｃは上面に飲料又は食品を載置して循環搬送するコンベアを示している。
【００２３】
次に前記構成についてその作用を説明する。予め保冷具３は冷蔵庫（図示せず）に収容されて蓄冷剤１０は冷却されている。この冷却によって蓄冷剤１０は固体化している。次にビール瓶ａ等飲料をコンベアｃに載置して循環搬送するときには、店員がビール瓶ａを容器本体１に挿入すると共に、保冷具３を開口部６に取り付けて、コンベアｃに載置する。このように保冷具３を容器本体２に取り付けることにより、容器本体２に挿入されているビール瓶ａ等飲料を冷却して保冷するものである。そして、コンベアｃにより循環搬送されている際、保冷具３の蓄冷剤１０が溶けて液状となっても、液状の蓄冷剤１０は一対の区画室１１，１２にそれぞれ収容されているので、液状の蓄冷剤１０が保冷用ケース９の内部の全体を移動するようなことはなく、液状の蓄冷剤１０であっても保冷用ケース９の内部に安定的に収容される。
【００２４】
そして、お客がコンベアｃより容器本体２を保冷具３と共に取り出し、そして容器本体２より保冷されていたビール瓶ａ等飲料を取出すものである。尚、回収された保冷具３は再び冷蔵庫に収容されて冷却されて、再び別の容器本体２に取り付けられるものである。
【００２５】
以上のように、前記実施形態では請求項１に対応して、ビール瓶ａ等飲料を収容する容器本体２と、前記容器本体２と別体で該容器本体２に着脱自在に設けれられる保冷具３とを備え、冷蔵庫等で冷却した保冷具３を容器本体２に取り付けることにより、ビール瓶ａ等飲料を保冷具３によって比較的長期間保冷することができ、さらに容器本体２に着脱自在に設けられる保冷具３を単独で冷蔵庫等で冷却することにより、容器本体２全体を冷蔵庫等で冷却する必要はなく保冷することができる。
【００２６】
また、前記実施形態では請求項２に対応して、前記容器本体２は、ビール瓶ａ等飲料を挿入可能な環状の開口部６を上部に形成した筒形状の断熱容器により形成され、前記保冷具３はリング形状に形成されて前記開口部６に沿って設けられることにより、保冷具３から冷気が下降してビール瓶ａ等飲料を保冷できる。
【００２７】
さらに、前記実施形態では請求項３に対応して、前記保冷具３は、保冷用ケース９内に一対の区画室１１，１２を形成すると共に、これら区画室１１，１２に少なくとも常温時には液状の蓄冷剤１０を設けたことにより、蓄冷剤９が液状となってもその移動が抑止されているので、保冷具３の安定性を向上することができる。
【００２８】
しかも、前記実施形態では請求項７に対応して、容器本体３を、コンベアｃの上面にビール瓶ａ等飲料を載置して循環搬送するコンベアに用いても、確実に飲料を保冷してお客に提供することができる。
【００２９】
図５〜図６は第２実施形態を示しており、前記第１実施形態と同一部分には同一符号を付し、その詳細な説明を省略する。容器２１は、容器本体２と、容器本体の上方に着脱自在に設けられる蓋体２２と、保冷具２３からなる。蓋体２２は、円形な天部２３とこの天部２３の縁より下がる円筒２４とからなり、下部には環状の開口部２５が形成されており、この開口部２５は容器本体２の開口部６に着脱自在に嵌合するようになっている。そして、前記天部２３及び円筒２４は内壁２６とその外側に断熱層２６ａを介して外壁２７を設けて二重壁構造の断熱容器に形成されている。
【００３０】
容器本体２の底５に嵌合する保冷具２３は、円盤状であって、その上面２８及び下面２９はそれぞれ平面に形成されると共に、円筒状側面３０は容器本体２の内壁７に着脱可能に嵌合している。保冷具２３に少なくとも常温時には液状の蓄冷剤３４を設けている。
【００３１】
次に前記構成についてその作用を説明する。予め保冷具２３は冷蔵庫（図示せず）に収容されて蓄冷剤３４は冷却されている。この冷却によって蓄冷剤３４は固体化している。次にアイスクリーム等を収容したデザートグラスｂをコンベアｃに載置して循環搬送するときには、店員が予め底５に保冷具２３を嵌合した容器本体２にデザートグラスｂを挿入した後、蓋体２２を被せて、コンベアｃに載置する。このように保冷具２３を容器本体２に取り付けることにより、容器本体２に挿入されているデザートグラスｂのアイスクリームを保冷するものである。
【００３２】
そして、お客がコンベアｃより容器を取り出し、そして容器本体２よりデザートグラスｂを取出すものである。尚、回収された保冷具２３は再び冷蔵庫に収容されて冷却されて、再び別の容器に取り付けられるものである。
【００３３】
以上のように、前記実施形態では請求項１に対応して、アイスクリームなどのデザートグラスｂを収容する容器本体２と、前記容器本体２と別体で該容器本体２に着脱自在に設けれられる保冷具２３とを備え、冷蔵庫等で冷却した保冷具２３を容器本体２に取り付けることにより、アイスクリームを保冷具２３によって比較的長期間保冷することができ、さらに容器本体２に着脱自在に設けられる保冷具２３を単独で冷蔵庫等で冷却することにより、容器本体２全体を冷蔵庫等で冷却する必要はなく保冷することができる。
【００３４】
また、請求項５に対応して、前記容器本体２は、有底な筒形状の断熱容器２により形成され、前記保冷具２３は前記底５に着脱自在に嵌合し、そしてアイスクリームのデザートグラスｂを容器本体２に挿入することにより、底５に設けた保冷具２３により冷気が底にたまりアイスクリームを保冷できる。
【００３５】
さらに、請求項６に対応して、前記保冷具２３は、上面２８を平面に形成すると共に前記底５に着脱自在に嵌合する保冷用ケース３１に蓄冷剤３４を内蔵したことにより、アイスクリームのデザートグラスｂを安定した状態で載置して保冷することができる。
【００３６】
しかも請求項７に対応して、前記容器本体２は、コンベアｃの上面に飲料又は食品を載置して循環搬送するコンベアに用いる飲料または食品の保冷容器であるので、コンベアｃの上面にアイスクリームのデザートグラスｂを載置して循環搬送するコンベアに用いても、確実にアイスクリームを保冷してお客に提供することができる。
【００３７】
図７は第３実施形態を示しており、前記第２実施形態と同一部分には同一符号を付し、その詳細な説明を省略する。容器本体２の底５に嵌合する保冷具２３は、円盤状であって、保冷用ケース３１内に仕切り部３２を介して一対の区画室３３を形成すると共に、これら区画室３３に少なくとも常温時には液状の図示しない蓄冷剤をそれぞれ設けている。
【００３８】
そして、コンベアｃにより循環搬送されている際、保冷具２３の蓄冷剤が溶けて液状となっても、液状の蓄冷剤は区画室３３にそれぞれ収容されているので、液状の蓄冷剤が保冷用ケース３１の内部の全体を移動するようなことはなく、液状の蓄冷剤３４であっても保冷用ケース３１の内部に安定的に収容されている。
【００３９】
したがって、請求項７に対応して、前記保冷具２３は、保冷用ケース３１内に複数の区画室３３を形成すると共に、これら区画室３３に少なくとも常温時には液状の蓄冷剤を設けたことにより、保冷用ケース３１内で蓄冷剤の移動が抑止されているので、保冷具の安定性を向上することができる。
【００４０】
尚、本考案は上記実施形態に限定されるものではなく、本考案の要旨の範囲内において、種々の変形実施が可能である。例えば、区画室は２箇所でなく３個所以上であればよい。
【００４１】
【考案の効果】
請求項１の考案は、飲料または食品を収容する容器本体と、前記容器本体と別体で該容器本体に着脱自在に設けれられる保冷具とを備えたことを特徴とする飲料・食品の保冷用容器であり、飲料または食品を保冷具によって比較的長期間保冷することができ、さらに容器本体に着脱自在に設けられる保冷具を単独で冷蔵庫等で冷却することにより、容器全体を冷蔵庫等で冷却する必要はなく、冷蔵庫等において保冷具を多量に収容することができる。
【００４２】
請求項２の考案においては、前記容器本体は、飲料または食品を挿入可能な環状の開口部を上部に形成した筒形状の断熱容器により形成され、前記保冷具はリング形状に形成されて前記開口部に沿って設けられることを特徴とする請求項１記載の飲料・食品の保冷用容器であり、保冷具は容器本体の上部に位置して冷気が下降することになるので、飲料または食品を効率よく冷却することができる。
【００４３】
請求項３の考案においては、前記保冷具は、保冷用ケース内に複数の区画室を形成すると共に、これら区画室に蓄冷剤を設けたことを特徴とする請求項２記載の飲料・食品の保冷用容器であり、保冷用ケース内で蓄冷剤の移動が抑止されているので、保冷具の安定性を向上することができる。
【００４４】
請求項４の考案においては、前記容器本体は、飲料または食品を挿入可能な環状の開口部を上部に形成した有底な筒形状の断熱容器により形成され、前記保冷具は前記底に着脱自在に嵌合することを特徴とする請求項１記載の飲料・食品の保冷用容器であり、保冷具は開口部に一体的となって容器本体に取り付けることができる。
【００４５】
請求項５の考案においては、前記保冷具は、上面を平面に形成すると共に前記底に着脱自在に嵌合する保冷用ケースに蓄冷剤を内蔵したことを特徴とする請求項４記載の飲料・食品の保冷用容器であり、前記底に設けた保冷具により容器本体に挿入した飲料・食品は冷却されて保冷することができる。
【００４６】
請求項６の考案においては、前記保冷具は、保冷用ケース内に複数の区画室を形成すると共に、これら区画室に蓄冷剤を設けたことを特徴とする請求項５記載の飲料・食品の保冷用容器であり、保冷具の平らな上面上に飲料・食品を設けることにより、飲料・食品を安定した状態で保冷することができる。
【００４７】
請求項７の考案においては、前記容器本体は、コンベアの上面に飲料又は食品を載置して循環搬送するコンベアに用いる飲料または食品の保冷容器であることを特徴とする請求項１〜６のいずれか１項に記載の飲料・食品の保冷用容器であり、コンベアによって循環搬送される飲料は冷たい状態でお客に提供でき、また食品は鮮度が保たれたままお客に提供できる。
【図面の簡単な説明】
【図１】本考案の第１実施形態を示す一部切り欠き正面図である。
【図２】本考案の第１実施形態を示す保冷具の平面図である。
【図３】本考案の第１実施形態を示す保冷具の展開した状態の平面図である。
【図４】本考案の第１実施形態を示す保冷具の展開した状態の側面図である。
【図５】本考案の第２実施形態を示す分解状態の一部切り欠き正面図である。
【図６】本考案の第２実施形態を示す保冷具の平面図である。
【図７】本考案の第３実施形態を示す保冷具の平面図である。
【符号の説明】
２　容器本体
３　２３　保冷具
５　底
６　開口部
９　３１　保冷用ケース
１０　３４　蓄冷剤
１１　１２　３２　３３区画室
ａ　ビール瓶
ｂ　デザートグラス
ｃ　コンベア
【図１】
0003098138.tif 000003
【図２】
0003098138.tif 000004
【図３】
0003098138.tif 000005
【図４】
0003098138.tif 000006
【図５】
0003098138.tif 000007
【図６】
0003098138.tif 000008
【図７】
0003098138.tif 000009